(57)【要約】【課題】簡単な構造で、しかも確実なロックが得られる蓋のロック装置を提供すること。【解決手段】ヒンジによって開閉される蓋の自由端下面に、先端に孔を有するフックを配設し、前記蓋の閉成状態で、ケース本体内に配設した爪を前記フックの孔に挿通させて係合させるとともに、該爪をその位置にロックする蓋のロック装置において、ケース本体内に、爪１７を有するスライド部材１４を前記フックの移動方向に対して垂直な方向に移動可能に配設するとともに、前記スライド部材１４にアクチュエータ２９を係合させ、蓋を閉成して前記フックをケース本体内に挿入させた状態で、前記スライド部材１４を移動させて該スライド部材の爪１７を前記フックの孔に挿入係合させるようにしたことを特徴としている。【選択図】        図３
2004156229.tif 000002
【特許請求の範囲】
【請求項１】
ヒンジによって開閉される蓋の自由端下面に、先端に孔を有するフックを配設し、前記蓋の閉成状態で、ケース本体内に配設した爪を前記フックの孔に挿通させて係合させる蓋の係止装置において、
前記ケース本体内に、前記爪を有するスライド部材を前記フックの移動方向に対して垂直な方向に移動可能に配設するとともに、前記スライド部材にアクチュエータを係合させ、前記蓋を閉成して前記フックをケース本体内に挿入させた状態で、前記スライド部材を移動させて該スライド部材の爪を前記フックの孔に挿入係合させるようにしたことを特徴とする蓋の係止装置。
【請求項２】
前記スライド部材にシャッターを回動自在に配設するとともに、前記シャッターにアクチュエータを係合させ、前記蓋を閉成して前記フックをケース本体内に挿入させた状態で、前記スライド部材を移動させて該スライド部材の爪を前記フックの孔に挿入係合させるとともに、前記シャッターを回動させて該シャッターを前記爪の先端に位置させるようにしたことを特徴とする請求項１に記載の蓋の係止装置。
【請求項３】
前記スライド部材を板バネによってケース本体に支持させたことを特徴とする請求項１または２に記載の蓋のロック装置。
【請求項４】
前記スライド部材と前記シャッターのアクチュエータを共用し、前記スライド部材に長孔を形成し、該長孔に挿通させたピンを介してスライド部材をアクチュエータに連結させ、前記シャッターの動作に対する前記スライド部材の動作にタイムラグをもたせたことを特徴とする請求項２または３のいずれかに記載の蓋の係止装置。
【発明の詳細な説明】
【０００１】
【発明の属する技術分野】
本発明は、蓋の係止装置に関するもので、特には、遠心機等の機器に適した蓋の係止装置に関するものである。
【０００２】
【従来の技術】
機器、例えば遠心機では、運転中の振動，内部破損による衝撃によっても蓋が開成しないように係止装置が配設されている。
遠心機では、蓋がヒンジによって開閉自在にケース本体に配設され、該蓋はスプリングによって開成方向に付勢されている。そして、蓋の自由端部の下面には、先端に孔を有するフックが配設され、またケース本体にはフックの先端を収容する孔が形成されている。そして、ケース本体内には蓋の閉成状態で、ケース本体内に配設した爪をフックの孔に挿通係合させるとともに、該爪をその位置にロックする係止装置が設置されている。
このような遠心機では、蓋のフックをケース本体に係止させる手段として、先端に爪を有するレバーが採用され、該レバーを電磁ソレノイドによって回動させて、その爪をフックの孔に挿入・離脱させている（例えば、特許文献１における図１乃至図１０、特許文献２における図２，図５）。
【０００３】
【特許文献１】
特開平８−５２３８２号公報
【特許文献２】
実開平７−２４４５１号公報
【０００４】
【発明が解決しようとする課題】
ところで、このような従来の遠心機では、レバーを回動させることによって蓋のフックを係止しているので、蓋に該蓋を開成する方向の衝撃力が加わると、フックを介してレバーを回動させる力が働き、それによってレバーが回動されて爪がフックから外れる虞がある。
これを防止するために、特許文献１では、レバーにカウンターウエイトを設けたり、レバーの重心を特定して、レバーをロック方向に付勢したり、爪部の角度を鋭角にしてレバーの回動を阻止するようにし、さらにはレバーの回動支点の形状を長孔にし、レバーをドアロックベースの上面に突き当てることによってレバーの回動を阻止している。
また、文献２では、フックに係合する第１のレバーとは別に第２のロックレバーを配設し、該ロックレバーによって第１のレバーの回動を阻止している。
【０００５】
このように、従来の遠心機では、フックを係止するレバーの回動を阻止するために、ロック手段を必要とし、それだけ構造が複雑になり、部品点数も増えてコストアップにもなっている。
【０００６】
また、これらの遠心機では、ロック手段を備えているものの、遠心機に外部から衝撃が与えられ、フックがケース本体に対して、フックの孔の軸芯方向、即ち爪の開口方向に移動した場合には、フックが爪から離脱する虞もある。
【０００７】
そこで、本発明の目的は、簡単な構造で確実にフックの係止ができる蓋の係止装置を提供することにある。
【０００８】
【課題を解決するための手段】
本発明の蓋の係止装置では、ヒンジによって開閉される蓋の自由端下面に、先端に孔を有するフックを配設し、前記蓋の閉成状態で、ケース本体内に配設した爪を前記フックの孔に挿通させて係合させる蓋の係止装置において、前記ケース本体内に、前記爪を有するスライド部材を前記フックの移動方向に対して垂直な方向に移動可能に配設するとともに、前記スライド部材にアクチュエータを係合させ、前記蓋を閉成して前記フックをケース本体内に挿入させた状態で、前記スライド部材を移動させて該スライド部材の爪を前記フックの孔に挿入係合させるようにしたことを特徴としている。
この発明による蓋の係止装置では、レバーを回動させることによって爪をフックに係合させるのではなく、スライドによって爪をフックに係合させている。
したがって、蓋に該蓋を開成する方向の衝撃力が加わった場合にも、その作用方向は爪を離脱させる方向に対して垂直な方向になるため、特別なロック手段を必要とすることなく確実に係止状態が維持される。
【０００９】
また、この発明の蓋の係止装置では、上記発明において、前記スライド部材にシャッターを回動自在に配設するとともに、前記シャッターにアクチュエータを係合させ、前記蓋を閉成して前記フックをケース本体内に挿入させた状態で、前記スライド部材を摺動させて該スライド部材の爪を前記フックの孔に挿入係合させるとともに、前記シャッターを回動させて前記シャッターを前記爪の先端に位置させるようにしたことを特徴としている。
この発明の蓋の係止装置では、爪がフックの孔に挿入された状態で、爪の先端にシャッターが位置し、フックを爪とシャッターとによる閉空間に収容することになる。
したがって、機器等に横方向の振動が働いてもフックは確実にロックされた状態に維持される。
【００１０】
また、本発明の蓋の係止装置では、上記発明において、前記スライド部材を板バネによってケース本体に支持させたことを特徴としている。
この発明の蓋の係止装置によれば、板ばねによってスライド部材が摺動自在に支持されるので、スライド部材をガイドするためのガイド手段を特別に設ける必要はなく、しかもスライド部材を一方に付勢するコイルスプリング等を設置する必要がなく、したがって、装置がより単純になる。
【００１１】
また、本発明の蓋の係止装置では、上記発明において、前記スライド部材と前記シャッターのアクチュエータを共用し、前記スライド部材に長孔を形成し、該長孔に挿通させたピンを介してスライド部材をアクチュエータに連結させ、前記シャッターの動作に対する前記スライド部材の動作にタイムラグをもたせたことを特徴としている。
この発明の蓋の係止装置では、爪がフックの孔に挿通された状態でシャッターが作動し、またシャッターが解除された状態で爪をフックから離脱させる必要があるが、それを１つのアクチュエータでスライド部材とシャッターの作動を行なうことができ、したがって、装置がより単純になり、かつ安価になる。
【００１２】
【発明の実施の形態】
以下に、本発明を図面に示した一実施の形態に基づいて説明する。
図１は本発明に係る蓋の係止装置が適用される遠心機を示した斜視図，図２はその係止装置の分解斜視図，図３はその係止装置を組立てた状態の正面図，図４乃至図６図はその係止装置の動作を示した説明図である。
【００１３】
この遠心機では、図１に示したように、蓋１がヒンジ２によってケース本体３に対して開閉自在に設けられ、図示しないスプリング等によって開成方向に付勢されている。蓋１の自由端部下面の両側には、先端に矩形の孔４ａを有するフック４が突設されている。また、ケース本体３には、フック４と対応する位置に孔５が形成されている。そして、ケース本体３の内部には係止装置１０が配設されている。
【００１４】
係止装置１０は、図２および図３に示したように、ケース本体３に一体的に配設される基板１１を備えている。この基板１１には、上部両側にストッパ１２ａ，１２ｂが配設され、下部両側に後述する板ばねの取付け部１３ａ，１３ｂが配設されている。
【００１５】
また、係止装置１０は、スライド部材１４を備えている。このスライド部材１４には、両側に板ばね１５ａ，１５ｂの上端が固設されており、該板ばね１５ａ，１５ｂの下端は基板１１の取付け部１３ａ，１３ｂにねじ１６等によって固定される。
また、スライド部材１４の両側部には、爪１７を有する係合片１８と、爪１９を有する係合片２０が立設されている。これらの爪１７，１９は、スライド部材１４の長手方向に向かって同一方向に延設されている。そして、一方の係合片１８には、ねじ孔２１と長孔２２が形成されている。
【００１６】
また、係止装置１０は、シャッター２３を備えている。このシャッター２３は、上方に延設された爪２４を有しており、上記係合片１８のねじ孔２１と長孔２２とに対応する位置に孔２５，２６が形成されている。そして、このシャッター２３は、孔２５に挿通させた軸２７の先端を係合片１８のねじ孔２１に螺合させることによって、係合片１８に回動自在に支持されており、係合片１８との間に介装されたスプリング２８によって上方に付勢されている。
【００１７】
一方、上記基板１１には、アクチュエータとして電磁ソレノイド２９が設置されており、プランジャ２９ａの先端には、孔３０が形成されている。そして、プランジャ２９ａの孔３０およびシャッター２３の孔２６にピン３１を挿通させてそれらを連結するとともに、該ピン３１をさらに係合片１８の長孔２２に挿嵌させる。
【００１８】
なお、この係止装置１０では、蓋１のフック４がケース本体３の孔５に挿入され、ロック位置に達したことを検出するための検出センサとしてマイクロスイッチ３２が係合片２０に設置され、またシャッター２３がロック位置に存在するか否かを判断するためのセンサとしてマイクロスイッチ３３が係合片１８に設置されている（図３を参照）。
また、シャッター２３の一端部には押送片３４が形成され、該押送片は、スライド部材１４から外方へ延設されている。この押送片３４は、手動によってロックを解除するためのもので、図１に示したように、ケース本体３に形成した孔６から棒材（図示せず）を差込んで操作される。
【００１９】
このように構成された係止装置１０は基板１１をケース本体３に固定される。そして、以下のようにして蓋１のフック４をケース本体３に係止し、また係止を解除する。
【００２０】
電磁ソレノイド２９が非励磁状態のとき、スライド部材１４は図３に示したように、板ばね１５ａ，１５ｂの付勢力によって右方に位置され、基板１１のストッパ１２ａによってそこに位置決めされている。
この状態で、蓋１が閉成され、スライド部材１４の爪１７の斜面１７ａにフック４の先端が突き当たると、該フックによって爪１７（スライド部材１４）は板ばね１５ａ，１５ｂの付勢力に抗して左方に押され、フック４の侵入を許容する。そして、フック４の孔４ａが爪１７を通過すると、爪１７は板ばね１５ａ，１５ｂの付勢力によって再び図４に示した位置に復帰し、爪１７をフック４の孔４ａに挿通する。なお、シャッター２３の爪２４は、図４に示した位置にあって、フック４の先端を係合片１８との間に拘束する。
したがって、この係止装置の場合には、遠心機を使用していない状態（電源がＯＦＦ状態）においても、蓋１を閉成状態にロックさせておくことができる。
【００２１】
この状態で、電源をＯＮにすると、電磁ソレノイド２９が励磁され、プランジャ２９ａが引き込まれる。すると、図５に示したように、先ず、ピン３１を介してシャッター２３がスプリング２８の付勢力に抗し、軸２７を中心にして時計方向に回動され、爪２４をロック位置から退避させる。次いで、ピン３１は係合片１８の長孔２２の左端に達し、該ピンを介して係合片１８（スライド部材１４）が板ばね１５ａ，１５ｂの付勢力に抗して左方に作動され、爪１７がロック位置から退避される。同様にして係合片２０の爪１９もロック位置から退避される。
したがって、蓋１は図示しないスプリング等の付勢力によって開成される。
【００２２】
この状態で、蓋１を閉成し、フック４が係止装置１０のロック位置に達すると、フック４によって図３に示したマイクロスイッチ３２が作動され、それによって電磁ソレノイド２９が消磁される。したがって、板ばね１５ａ，１５ｂの付勢力によってスライド部材１４は右方へ移動される。すると、図６に示したように、係合片１８の爪１７がフック４の孔４ａに挿入し、続いてスプリング２８の付勢力によって軸２７を中心にしてシャッター２３の爪２４が反時計方向に回動されて、図４に示したロック位置に達する。同様にして、係合片２０の爪１９もフック４の孔４ａに挿入される。シャッター２３がロック位置に達したことは、図３に示したマイクロスイッチ３３によって確認される。
【００２３】
なお、上記実施の形態では、スライド部材１４を作動させるアクチュエータとシャッター２３を作動させるアクチュエータを１つの電磁ソレノイド２９で共用させているが、それらをそれぞれ別のアクチュエータによって作動させてもよいことは勿論である。
また、上記実施の形態では、スライド部材１４を一方に付勢する板ばね１５ａ，１５ｂを２枚使用しているが、例えば、１つの係合片１８によって１つのフック４を係止する場合には、１枚の板ばね１５ａであってもかまわない。
さらに、上記実施の形態では、本発明を遠心機に適用した例を示したが、本発明は遠心機ばかりではなく、他の機器にも適用できることは言うまでもない。
【００２４】
【発明の効果】
以上説明したように、本発明の請求項１の蓋の係止装置では、レバーを回動させることによって爪をフックに係合させるのではなく、スライドによって爪をフックに係合させているので、蓋に該蓋を開成する方向の衝撃力が加わった場合にも、爪を離脱させる方向には作用しないため、確実に係止状態が維持される。
【００２５】
また、本発明の請求項２の蓋の係止装置では、爪がフックの孔に挿入された状態で、爪の先端にシャッターが位置し、フックを爪とシャッターとによる閉空間に収容することになるので、機器等に横方向の振動が働いてもフックは確実にロックされた状態に維持される。
【００２６】
また、本発明の請求項３の蓋の係止装置では、板ばねによってスライド部材が摺動自在に支持されるので、スライド部材をガイドするためのガイド手段を特別に設ける必要はなく、しかもスライド部材を一方に付勢するコイルスプリング等を設置する必要がないので、装置がより単純になる。
【００２７】
また、本発明の請求項４の蓋の係止装置では、爪がフックの孔に挿通された状態でシャッターが作動し、またシャッターが解除された状態で爪をフックから離脱させる必要があるが、それを１つのアクチュエータでスライド部材とシャッターの作動を行なうことができるので、装置がより単純になり、かつ安価になる。
【図面の簡単な説明】
【図１】本発明に係る蓋の係止装置が適用される遠心機を示した斜視図である。
【図２】本発明に係る蓋の係止装置の分解斜視図である。
【図３】本発明に係る蓋の係止装置を組立てた状態の平面図である。
【図４】本発明に係る蓋の係止装置の動作を示した説明図である。
【図５】本発明に係る蓋の係止装置の動作を示した説明図である。
【図６】本発明に係る蓋の係止装置の動作を示した説明図である。
【符号の説明】
１      蓋
２      ヒンジ
３      ケース本体
４      フック
４ａ      孔
５      フック挿入孔
６      孔
１０      係止装置
１１      基板
１２ａ，１２ｂ      ストッパ
１３ａ，１３ｂ      取付け部
１４      スライド部材
１５ａ，１５ｂ      板ばね
１６      ねじ
１７      爪
１７ａ      斜面
１８      係合片
１９      爪
２０      係合片
２１      孔
２２      長孔
２３      シャッター
２４      爪
２５，２６      孔
２７      軸
２８      スプリング
２９      電磁ソレノイド
２９ａ      プランジャ
３０      孔
３１      ピン
３２，３３      マイクロスイッチ
３４      押送片
【図１】
2004156229.tif 000003
【図２】
2004156229.tif 000004
【図３】
2004156229.tif 000005
【図４】
2004156229.tif 000006
【図５】
2004156229.tif 000007
【図６】
2004156229.tif 000008